(57)【特許請求の範囲】
【請求項１】
（ａ）界面活性剤成分と（ｂ）プラウノイ[Plau-noi(Croton Sublyratus Kurtz または Croton Columnaris Airy shaw)]の抽出精製成分とを含有してなることを特徴とする動物用シャンプー組成物。
【請求項２】
前記界面活性剤成分が、陰イオン界面活性剤および両性界面活性剤からなる群より選択された少なくとも一種の界面活性剤である請求項１に記載の動物用シャンプー組成物。
【請求項３】
前記陰イオン界面活性剤が、カルボン酸塩、スルホン酸塩および硫酸エステル塩からなる群より選択される少なくとも一種の界面活性剤である請求項２に記載の動物用シャンプー組成物。
【請求項４】
前記プラウノイ抽出精製成分の主成分が下記の一般式（Ｉ）；
【化１】
0003905406.tif 000013
（一般式（Ｉ）においてＲ1 およびＲ2 は、各々水素原子またはヒドロキシル基であり、互いに同一でもまたは異なるものであってもよく、Ｒ3 は水素原子または炭素数１〜１０のアルキル基であり、ｎは１〜４であり、ｎが２〜４である場合には、Ｒ2 は各々同一または異なる基である。但し、Ｒ1 またはＲ2 の少なくとも１個はヒドロキシル基である。）
で表されるポリプレニル誘導体である請求項１の動物用シャンプー組成物。
【請求項５】
前記ポリプレニル誘導体が、前記一般式（Ｉ）においてＲ1 が水素原子であり、構造式上７位の側鎖にあるＲ2 がヒドロキシル基であり、Ｒ3 が水素原子であり、ｎが１〜３である請求項４に記載の動物用シャンプー組成物。
【請求項６】
前記プラウノイ抽出精製成分の含有量が、前記動物用シャンプー組成物全重量基準で０．０００１〜５重量％である請求項１ないし５のいずれかの１項に記載の動物用シャンプー組成物。
【請求項７】
前記界面活性剤成分（ａ）と前記プラウノイ抽出精製成分（ｂ）の配合量の割合が、重量比で（ａ）１に対し、（ｂ）０．０００１〜５である請求項１または６に記載の動物用シャンプー組成物。
【発明の詳細な説明】
【０００１】
【発明の属する技術分野】
本発明は、シャンプー組成物、特に動物用シャンプー組成物に関するものであり、さらに詳しくは、洗浄性能およびリンス性能等のシャンプー性能を有すると共に、犬等のペット動物に多発する皮膚疾患の改善、ふけの抑制、または毛に光沢とハリを与えるための有効なペット動物用シャンプー組成物に関するものである。
【０００２】
【従来の技術】
近年、趣味の多様化に伴ない、その一環としてペットブームが到来し、犬、猫をはじめ各種のペット動物を飼育する愛好者が増加している。特に室内でのペット動物の飼育が多く、かかるペット動物は飼主その他の人間との接触の機会も多いために衛生上の観点から留意すべき点も多い。ペット動物のうちでも、例えば犬は皮膚疾患にかかりやすく、また、元来、ふけが出やすいこと、脱毛が激しく部屋内にまき散らすという問題があり、室内でペット動物を飼育する上で衛生的に良好な環境を保持することが極めて重要であり、ペット動物との快適な生活を楽しむには不可欠な事項である。
【０００３】
従って、犬の愛好者としてはシャンプーによる定期的な洗浄を行なうと共に、毛のトリミング等により常に毛の手入れを行なっている。
しかしながら、従来から使用されている洗浄を目的とするシャンプー組成物は毛の汚れの除去については有効であるものの皮膚の保護に対する処理には十分ではなく、前記の如きふけが出やすい、脱毛が多いという問題については未だ解消することができなかった。
【０００４】
かかる状況下において動物用シャンプー組成物としては、例えば、特開平１１−１９３０９８号公報には、ペット動物の皮膚疾患の治癒を目的とした薬用シャンプーが開示されているが、やはり前記の如き難点の解決には有用でなく、解決可能な動物用シャンプー組成物の開発が切望されてきた。
【０００５】
【発明が解決しようとする課題】
従って、本発明の課題は、皮膚をつややかにすることにより、ふけの発生を抑制し、かつ脱毛を防止すると共に毛の表面改質による毛のハリに対し有効な動物用シャンプー組成物を提供することにある。
【０００６】
【課題を解決するための手段】
そこで、本発明者らは、従来のシャンプー組成物の難点および開発状況に鑑み、前記課題を解決するため鋭意検討を重ねた結果、界面活性剤からなるシャンプー組成物成分にプラウノイ(Plau-noi(Croton Sublyratus Kurtz または Croton Columnaris Airy shaw)「以下、本明細書において「プラウノイ」と略称することがある。」)の抽出精製成分を配合してなるシャンプー組成物が、ペット動物の皮膚をつややかにし、ふけが止まり、毛にハリがでて、また、脱毛を防止することができ、さらに、ペット動物がかゆがるしぐさをしなくなる等の顕著な効果が得られることに着目し、これらの知見に基づいて本発明の完成に到達した。
【０００７】
かくして、本発明によれば、
（ａ）界面活性剤成分と
（ｂ）プラウノイ抽出精製成分とを含有してなることを特徴とする動物用シャンプー組成物
が提供される。
【０００８】
また、該抽出精製成分の含有量としてはその有効量、好ましくは動物用シャンプー組成物全重量基準で０．０００１〜５重量％の動物シャンプー組成物が提供される。
【０００９】
本発明は、（ａ）界面活性剤成分と（ｂ）プラウノイ抽出精製成分との併用により、皮膚表面をつややかにし、ふけの発生を抑制し、脱毛を防止するなど前記課題をすべて解消したものであるが、さらに好ましい実施の形態として次の下記（１）〜（５）のものを包含する。
（１）（ａ）少なくとも一種の陰イオン界面活性剤と少なくとも一種の両性界面活性剤を必須成分とし、少なくとも一種の非イオン界面活性剤と少なくとも一種の陽イオン界面活性剤を任意成分とする界面活性剤成分５〜９０重量％、（ｂ）ハズ属（クロトン属）植物のタイ国産生薬プラウノイ、プラウヤイまたはプラウルアから抽出された７−ヒドロキシメチル−３・１１・１５−トリメチル−２・６・１０・１４−ヘキサデカテトラエン−１−オールを主成分として含有する抽出精製成分０．０００１〜５重量％、（ｃ）発泡剤、保湿剤、防腐剤からなる群より選択される少なくとも一種の添加剤ならびに（ｄ）媒体を含有してなる動物用シャンプー組成物。
（２）ヤシ油脂肪酸アシル−Ｌ−グルタミン酸塩１〜５０重量％、アルキルイミダゾリウムベタイン１〜５０重量％、前記プラウノイ抽出精製成分０．０００１〜５重量％、発泡剤、保湿剤、防腐剤および媒体を含有してなる動物用シャンプー組成物。
（３）ポリオキシエチレンアルキル硫酸塩１〜８０重量％、アルキルイミダゾリウムベタイン１〜５０重量％、前記プラウノイ抽出精製成分０．０００１〜５重量％、発泡剤、保湿剤、防腐剤および媒体を含有してなる動物用シャンプー組成物。
（４）ラウリル酸ナトリウム１〜５０重量％、ステアリン酸１〜２０重量％、ラノリンまたはラノリンエチレンオキサイド付加重合体０．１〜１０重量％、前記プラウノイ抽出精製成分０．０００１〜５重量％、発泡剤、乳化剤、保湿剤、防腐剤および媒体を含有してなる動物用シャンプー組成物。
（５）前記ポリプレニル誘導体が、
７−ヒドロキシメチル−３・１１・１５−トリメチル−２・６・１０・１４−ヘキサデカテトラエン−１−オール、
１１−ヒドロキシメチル−３・７・１５−トリメチル−２・６・１０・１４−ヘキサデカテトラエン−１−オール、
７−ヒドロキシメチル−３・１１−ジメチル−２・６・１０−ドデカトリエン−１−オール、
７・１５−ジヒドロキシメチル−３・１１−ジメチル−２・６・１０・１４−ヘキサデカテトラエン−１−オール、
７−ヒドロキシメチル−３・１１・１５・１９−テトラメチル−２・６・１０・１４・１８−アイコサペンタエン−１−オール
からなる群より選択された少なくとも一種の化合物である前記動物用シャンプー組成物。
【００１０】
【発明の実施の形態】
本発明に係る動物用シャンプー組成物は、（ａ）界面活性剤成分、（ｂ）前記プラウノイ抽出精製成分、（ｃ）その他の添加剤成分および（ｄ）媒体を含有してなるものである。
（ａ）界面活性剤成分としては、必須成分として陰イオン界面活性剤を、また、任意成分として両性界面活性剤、非イオン界面活性剤および陽イオン界面活性剤からなる群より選択される少なくとも一種の界面活性剤を挙げることができる。以下、成分（ａ）の界面活性剤成分について具体的に説明する。
【００１１】
（ａ）界面活性剤成分
陰イオン界面活性剤
カルボン酸塩
カルボン酸型陰イオン界面活性剤としては、Ｎ−ヤシ油脂肪酸アシル−Ｌ−  グルタミン酸塩、Ｎ−ラウロイル−Ｌ−グルタミン酸ナトリウム、Ｎ−ステアロイル−Ｌ−グルタミン酸ナトリウム、Ｎ−ミリストイル−Ｌ−グルタミン酸ナトリウム等のＮ−アシルグルタミン酸塩、ラウロイルメチルβ−アラニンナトリウムの如きＮ−アシル−Ｎ−アルキルアミノ酸塩、ラウロイルサルコシンナトリウムの如きＮ−アシルサルコシン塩等を挙げることができる。本発明に係る動物用シャンプー組成物の成分として、特にＮ−アミングルタミン塩、Ｎ−アミン−Ｎ−アルキルアミノ酸塩が、皮膚に対する刺激が温和であり、起泡力が大きい点から好適である。
【００１２】
硫酸エステル塩
硫酸エステル型陰イオン界面活性剤としては、ラウリル硫酸ナトリウム、ラ  ウリル硫酸トリエタノールアミン、ラウリル硫酸アンモニウム、ステアリル硫酸ナトリウム等のアルキル硫酸エステル塩、ポリオキシエチレンラウリルエーテル硫酸ナトリウム、ポリオキシエチレンラウリルエーテル硫酸トリエタノールアミンおよびポリオキシエチレンアルキルエーテル硫酸ナトリウム液等のアルキルおよびアルキルアリルエーテル硫酸エステル塩、硫酸化油等を挙げることができる。特に好ましい硫酸エステル型陰イオン界面活性剤は、ラウリル硫酸塩、ポリオキシエチレンラウリルエーテル硫酸塩等を包含する。
【００１３】
スルホン酸塩
スルホン酸型陰イオン界面活性剤としては、ジアルキルスルホコハク酸ナト  リウム、ポリオキシエチレンスルホコハク酸二ナトリウム、ポリオキシエチレンスルホコハク酸ラウリル二ナトリウム等のスルホコハク酸塩、α−オレフィンスルホン酸塩、脂肪酸エステルのスルホン酸塩、脂肪酸アミドのスルホン酸塩、アルキルベンゼンスルホン酸塩、ヤシ油脂肪酸メチルタウリンナトリウム等のＮ−アシル−Ｎ−メチルタウリン酸塩等を挙げることができる。特にポリオキシエチレンスルホコハク酸ラウリル二ナトリウムの如きポリオキシエチレンスルホコハク酸塩が好ましい。
前記陰イオン界面活性剤の含有量は、二種以上の場合はそれらの合計量とし  てシャンプー組成物全重量基準で１〜８０重量％、好ましくは１０〜３０重量％である。
【００１４】
両性界面活性剤
両性界面活性剤としては、例えば、脂肪酸アミドアルキルベタイン、Ｎ−アルキルスルホベタイン、アルキルイミダゾリウムベタリン等のベタイン類を挙げることができる。また、長鎖アルキルアミノ酸、アルキル酢酸ベタイン、アミド酢酸ベタイン、カルボベタイン、ヒドロキシスルホンベタイン等も用いることができる。特に、２−アルキル−Ｎ−カルボンキシメチル−Ｎ−ヒドロキシエチルイミダゾリニウムベタイン、ヤシ油脂肪酸アミドプロピルベタイン、ラウリルジメチルアミノ酢酸ベタイン、ラウリルヒドロキシスルホベタイン等が好ましい。
両性界面活性剤の含有量としては、二種以上を使用する場合はそれらの合計量としてシャンプー組成物全重量基準で１〜５０重量％、好ましくは１０〜３０重量％を採用することができる。
【００１５】
非イオン界面活性剤
また、非イオン界面活性剤としては、例えば、アルキルポリオキシエチレンエーテル、アルキルポリグリコシド、アミンオキシド、長鎖脂肪族者モノーおよびジエタノールアミド、ソルビタンエステル、脂肪酸ポリグリコールエステル、ポリオキシエチレンリン酸、ポリオキシエチレンラノリン、ピログルタミン酸エステル等を挙げることができる。特に、ポリオキシエチレン、アルキルポリグリコシド、脂肪酸ポリオキシエチレンリン酸、ピログルタミン酸エステル等が好適である。脂肪酸ポリオキシエチレンリン酸としては、具体的にはポリオキシエチレンポリオキシプロピレンセチルエーテルリン酸が、また、ピログルタミン酸エステルとしては、ピログルタミン酸イソステアリン酸ポリオキシエチレン硬化ヒアシ油が好ましい。
これらの非イオン界面活性剤の含有量としてはシャンプー組成物全重量基準で０．１〜３０重量％、好ましくは１〜１０重量％を採用することができる。
【００１６】
陽イオン界面活性剤
陽イオン界面活性剤としては、例えばカオチン化ポリマーを挙げることができ、カチオン化ポリマーとして、カオチン化セルロース誘導体、例えばヒドロキシエチルセルロース、具体的には塩化０−［２−ヒドロキシ−３−（トリメチルアンモニオ）プロピル］ヒドロキシエチルセルロースを用いることができる。
陽イオン界面活性剤は、殺菌および帯電防止等の効果を奏するものであり、その含有量としては、０．１〜１０重量％、好ましくは０．５〜２重量％を採用することができる。
【００１７】
（ｂ）プラウノイ抽出精製成分
次に、本発明に係る動物用シャンプー組成物の成分（ｂ）のプラウノイ抽出精製成分について説明する。
該プラウノイ抽出精製成分は、クロトン（Croton）属（日本名：ハズ属）植物、特にタイ国産の生薬プラウノイ［Plau-noi(Croton sublyratus Kurtz または Croton Columnaris Airy shaw)］、プラウルア［Plau-luat(Croton Hutchinsonianus Hosseus)］またはプラウヤイ［Plau-yai(Croton oblongifolius Roxb.)］の溶剤抽出物を精製して得られたものであり、さらにはこれらの混合物を含有するものでもよく、通常の場合、油状物質として得ることができる。本明細書において、「プラウノイ抽出精製成分」は、特にことわりがない限り、プラウノイ、プラウルアまたはプラウヤイからなる群より選択される一種または二種以上のものから得られる抽出精製成分を包含する用語として用いる。「プラウノイ」の用語はタイ国の原地語であり、前記カッコ内には学名を示す。プラウノイ抽出精製成分の抽出に使用される溶剤としては通常の植物成分の抽出に使用される溶剤が特に限定なく使用できるが、例えば、水、アルコール類（メタノール、エタノール等）、エーテル類（エチルエーテル、イソプロピルエーテル等）、ハロゲン化炭化水素類（メチレンクロリド、クロロホルム等）、酢酸エステル類（酢酸メチル、酢酸エチル等）、低級アルキルケトン類（アセトン、メチルエチルケトン等）および芳香族炭化水素類（ベンゼン、トルエン等）が好適なものとして挙げられる。これらの溶剤を用いて得られる抽出液より前記の化合物を採取するには、通常の中性成分を採取する方法によって行なわれるが、これにカラムクロマトグラフィーを併用するか、誘導体として結晶化することによって単離することもできる。すなわち、例えば前記抽出成分より脂質を除去するために抽出液または濃縮成分をｎ−ヘキサンのような炭化水素類で洗浄し、さらにベンゼンまたはエーテルのような水不混和性溶剤に溶解させた後、重炭酸ナトリウム水、炭酸ナトリウム水または水酸化ナトリウム水で洗浄して酸性部分を除き、得られた有機溶剤層をシリカゲル、アルミナ等の充填剤を使用し、展開溶剤としてエチルエーテル、ベンゼン等の有機溶剤の１種または２種以上の混合溶剤または前記の溶剤とｎ−ペンタン等の炭化水素系溶剤との混合溶剤を使用してカラムクロマトグラフィーを行ない、流出液より溶剤を留去すると前記構造を有する目的化合物を含有する油状物質を得ることができる。
このようにして得られた抽出油状物質は必要ならば常法、例えば誘導体生成法または減圧蒸留法等によってさらに精製することができる。また、抽出により得られた化合物をエステル化、エーテル化等の処理をして誘導体を得てもよい。
【００１８】
前記プラウノイ抽出精製成分の主成分として得られるポリプレニル誘導体は、前記のように次の一般式（Ｉ）で表される化合物である。
【化２】
0003905406.tif 000002
前記一般式（Ｉ）において、Ｒ1 およびＲ2 は、各々水素原子またはヒドロキシル基であり、互いに同一でもまたは異なるものでもよい。但し、Ｒ1 またはＲ2 のいずれか少なくとも１個はヒドロキシル基である。また、Ｒ3 は水素原子である。ｎは１〜４であり、ｎが２〜４である場合には、Ｒ2 は各々同一または異なる基である。
【００１９】
さらに、本発明によれば、一般式（Ｉ）において、Ｒ1 およびＲ2 が炭素数１〜１０のアルコキシ基、炭素数２〜２０の脂肪族アシルオキシ基、芳香族アシルオキシ基または芳香脂肪族アシルオキシ基であってもよく、互いに同一でもまたは異なるものでもよい。Ｒ3 は炭素数１〜１０のアルキル基、炭素数２〜２０の脂肪族アシル基、芳香族アシル基または芳香脂肪族アシル基でもよい。但し、Ｒ1 またはＲ2 のいずれか少なくとも１個がヒドロキシル基、炭素数１〜１０のアルコキシ基、炭素数２〜２０の脂肪族アシルオキシ基、芳香族アシルオキシ基または芳香脂肪族アシルオキシ基である。
【００２０】
具体的には、Ｒ1 およびＲ2 は、水素原子、ヒドロキシル基、アルコキシ基（メトキシ、エトキシ、ｎ−プロポキシ、イソプロポキシ、ｎ−ブトキシ、イソブトキシ、ｎ−ペンチルオキシ、ヘキシルオキシ、ヘプチルオキシ、オクチルオキシ、ノニルオキシ、デシルオキシ等）、アルカノイルオキシ基（アセチルオキシ、プロピオニルオキシ、ブチリルオキシ、イソブチリルオキシ、バレリルオキシ、イソバレリルオキシ、ビバノイルオキシ、カプロイルオキシ、２−メチル−ｎ−バレリルオキシ、ヘプタノイルオキシ、オクタノイルオキシ、２−エチルヘキサノイルオキシ、ノナノイルオキシ、デカノイルオキシ、ウンデカノイルオキシ、ｎ−ラウロイルオキシ、ミリストイルオキシ、ペンタデカノイルオキシ、パルミトイルオキシ、ステアロイルオキシ等）およびアルケノイルオキシ基（アクリロイルオキシ、クロトノイルオキシ、３−ブテノイルオキシ、メタアクリロイルオキシ、チグロイルオキシ、ソルボイルオキシ、１０−ウンデセノイルオキシ、オレオイルオキシ等）等の脂肪族アシルオキシ基、芳香環にアルキル基（メチル、エチル、ｎ−プロピル、イソプロピル等）、アルコキシ基（メトキシ、エトキシ、ｎ−プロポキシ、イソプロポキシ等）を有するベンゾイルオキシ基等の芳香族アシルオキシ基または芳香脂肪族アシルオキシ基（フェニルアセトキシ、フェニルブテニルオキシ、シンナモイルオキシ等）であり、各々互いに同一でもまたは異なるものでもよい。
【００２１】
また、Ｒ3 としては、水素原子、アルキル基（メチル、エチル、ｎ−プロピル、イソプロピル、ｎ−ブチル、イソブチル、ｎ−ペンチル、ヘキシル、ヘプチル、オクチル等）、アルカノイル基（アセチル、プロピオニル、ブチリル、イソブチリン、バレリル、イソバレリル、ビバノイル、カプロイル、２−メチル−ｎ−バレリル、ヘプタノイル、オクタノイル、２−エチルヘキサノイル、ノナノイル、デカノイル、ウンデカノイル、ｎ−ラウロイル、ミリストイル、ペンタデカノイル、パルミトイル、ステアロイル等）およびアルケノイル基（アクリロイル、メタアクリロイル、クロトノイル、３−ブテノイル、メタアクリロイル、チグロイル、ソルボイル、１０−ウンデセノイル、オレオイル等）等の脂肪族アシル基、芳香環にアルキル基（メチル、エチル、ｎ−プロピル、イソプロピル等）、アルコキシ基（メトキシ、エトキシ、ｎ−プロポキシ、イソプロポキシ等）を有するベンゾイルオキシ基等芳香族アシルオキシ基または芳香脂肪族アシル基（フェニルアセチル、フェニルプロピオニル、シンナモイル等）等を挙げることができる。
【００２２】
前記一般式（Ｉ）で表される化合物の好適な具体例としては、Ｒ1 は水素原子を表し、Ｒ2 が水素原子またはヒドロキシル基であり、Ｒ3 は水素原子であり、ｎは１〜３である。但し、ｎが１である場合は、Ｒ2 はヒドロキシル基であり、ｎが２または３である場合は、Ｒ2 の少なくとも１個はヒドロキシル基のものである。
ここで、前記一般式（Ｉ）を有する最も好適な化合物は、Ｒ1 が水素原子であり、構造式上７位の側鎖にあるＲ2 がヒドロキシル基であり、Ｒ3 が水素原子であり、ｎは１〜３のものであるポリプレニルアルコールである。。
【００２３】
従って、本発明の動物用シャンプー組成物の成分として含有する有用なポリプレニルアルコールを具体的に例示すると、次の構造式にて表すことができる。
【化３】
0003905406.tif 000003
前記の構造式［Ｉａ］で表される７−ヒドロキシメチル−３・１１・１５−トリメチル−２・６・１０・１４−ヘキサデカテトラエン−１−オールは、後述するようにハズ属（クロトン属）植物を溶剤で抽出し、得られる抽出物に含有する成分の形態で用いることができるが、なお、その同族体およびその誘導体は、特公昭５８−２０９３３号公報記載の方法で製造することもできる。
【００２４】
例えば、代表的な誘導体化合物として、
（１）７−ヒドロキシメチル−３・１１・１５−トリメチル−２・６・１０・１４−ヘキサデカテトラエン−１−オールおよびそのジメチルエーテル
（２）７−ヒドロキシメチル−３・１１−ジメチル−２・６・１０−ドデカトリエン−１−オールおよびそのジアセテート
等を挙げることができる。
【００２５】
前記一般式（Ｉ）を有する化合物においては、二重結合の配置により種々の幾何異性体が存在するが、動物用シャンプー組成物による改善効果にとっては格別の相違が認められないので、抽出物中に得られるものが本発明の動物用シャンプー組成物の成分として好ましい。前記一般式（Ｉ）においては、これらの異性体およびこれらの異性体の混合物がすべて単一の式で示されているが、これにより本発明の記載の範囲は限定されるものではない。なお、異性体は、ジャーナルオブ  オーガニックケミストリー(The Jonrnal of Oraganic Chemistry）、第３５巻、２８４９頁（１９７０年）に記載されている国際純正応用化学連合（ＩＵＰＡＣ）提案の命名法によるＥ・Ｚ表示によることができる。
【００２６】
前記成分（ａ）の界面活性剤成分と成分（ｂ）のプラウノイの抽出成分を併用することにより、特に前記の如き動物用シャンプーとしての要求性能において顕著な効果を奏する機作については十分解明されていないが、主成分ポリプレニル誘導体その他の抽出成分の角質生成促進作用により、皮質またはその疾患部表面を覆うことによるものと推定される。
前記抽出精製物の含有量は、シャンプー組成物全重量基準で０．０００１〜５重量％、好ましくは０．０１〜０．５重量％であり、特に前記界面活性剤成分（ａ）の配合量に対し、重量比で０．０００１〜１倍量、特に、０．００５〜０．０１倍量が好適である。
該抽出精製物の配合量が０．０００１重量％に達しないとシャンプー組成物として十分な効果が得られず、一方、５重量％を超えると泡立ちが悪く、コーティング膜が厚くなりすぎ、毛が不揃いになるおそれが生ずる。
【００２７】
（ｃ）その他の添加剤
本発明の動物用シャンプー組成物の成分として前記成分（ａ）および成分（ｂ）に加えて、さらに他の添加剤成分（ｃ）例えば、 脂肪酸、発泡剤、保湿剤、ｐＨ調整剤、保護剤、乳化剤、ケン化剤、加脂肪剤、防腐剤等からなる群より選択した少なくとも一種の添加剤を配合することができる。
発泡剤としては、例えば、ヤシ油、脂肪酸ジエタノールアミン、ラウリン酸ジエノールアミン等のアルキロールアミンを通常１〜１０重量％の割合で配合することができる。
保湿剤として多価アルコール、例えば、１，３―ブチレングリコール、ピロリドンカルボン酸塩、例えば、dl−ピロリドンカルボン酸ナトリウム液、カラギーナン等を通常０．１〜１０重量％の割合で使用することができる。
ｐＨ調整剤としてクエン酸、乳化剤として親油型モノステアリン酸グリセリン、また、加脂肪剤としてラノリン、ラノリンエチレンオキサイド付加重合体、防腐剤としてパラオキシ安息香酸エステルを配合してもよい。
【００２８】
（ｄ）媒体
シャンプー組成物の媒体としては、特に限定されるものではなく、常水等が用いられるが、精製水が好ましい。
【００２９】
本発明に係る動物用シャンプー組成物の成分組成は、例えば、犬用シャンプー組成物としては、短毛犬、長毛犬および大型犬に対してそれぞれ適合するように任意に調整することができる。例えば、短毛犬および長毛犬に対しては、陰イオン界面活性剤、両性界面活性剤、非イオン界面活性剤および陽イオン界面活性剤にプラウノイ抽出精製物を配合したシャンプー組成物が好適である。
一方、油性・大型犬に対しては陰イオン界面活性剤、脂肪酸、加脂肪剤、ケン化剤、乳化剤等を含有するシャンプー組成物が好ましい。
【００３０】
また、動物用シャンプー組成物の形態として、特に限定されるものではなく、溶液、懸濁液、エマルジョン、乳剤等のいずれでもよく、ゼリー状、エアゾール状、クリーム状、ペースト状として用いることができる。溶液を形成する媒体としては、通常、水が用いられる。また、エマルジョンとしても特に限定はなく、乳化剤を用いた水性媒体または油性媒体のものを使用することができる。
【００３１】
【実施例】
以下、本発明を実施例および比較例により具体的に説明する。もっとも本発明は、実施例等により何ら限定されるものではない。
なお、本発明に係るシャンプー組成物のプラウノイ抽出精製成分としては、下記の如き方法でタイ国産クロトン(Croton)属（日本名：ハズ属）植物の生薬プラウノイ(plau-noi) から抽出して得られた７-ヒドロキシメチル-３・１１・１５-トリメチル-２・６・１０・１４-ヘキサデカテトラエン-１-オールを主成分として含有するプラウノイ抽出精製物を用いた。
また、発泡剤として脂肪酸ジエタノールアミド、保湿剤として１，３-ブチレングリコール、防腐剤として安息香酸エステル等を用いた。
【００３２】
プラウノイ抽出精製物の製造例
タイ国産クロトン（Croton）属（日本名：ハズ属）植物プラウノイ（Plau-noi）を粉砕し、その１００ｇをメタノール８００ｍｌで５２℃、２時間加熱還流下に抽出した。抽出液を集め、濾紙で濾過した後エバポレーターで濃縮し、メタノールを除去すると、エキス１０ｇが得られた。得られたエキスを９０％メタノール２００ｍｌに添加し溶解液を得た。溶解液にｎ−ヘキサン２００ｍｌを添加し洗浄した後濃縮し、得られた残留物を水１００ｍｌに懸濁しエーテル５００ｍｌで抽出し、エーテル抽出液を５％炭酸ナトリウム液８０ｍｌで洗浄した。洗浄後、無水硫酸ナトリウム２０ｇで乾燥し、抽出液より溶剤を留去することにより濃縮し、抽出精製物として油状物質が得られた。なお、得られた油状物質をシリカゲルを充填したカラムに吸着させ、最初に１０％酢酸エチル含有ベンゼンで溶出した後、３０％酢酸エチル含有ベンゼンで溶出した。３０％酢酸エチル含有ベンゼンにより溶出した画分を集め、溶剤を留去するとさらに純度の高い油状の化合物が得られた。
【００３３】
［実施例１］
下記組成の短毛犬用ドッグシャンプーＡを調製した。
0003905406.tif 000004
【００３４】
［実施例２］
下記組成の長毛犬用ドッグシャンプーＢを調製した。
0003905406.tif 000005
【００３５】
［実施例３］
下記組成の油性・大型犬用ドッグシャンプーＣを調製した。
0003905406.tif 000006
さらに、モノステアリン酸グリセリン等の乳化剤、ラノリン等の加脂肪剤のほかケン化剤等を配合した。
【００３６】
［比較例１］
プラウノイ抽出精製物を配合しなかったこと以外すべて実施例１の成分と同一の成分をそれぞれ実施例１の成分と同量配合して短毛犬用ドッグシャンプーａを調製した。
【００３７】
［比較例２］
プラウノイ抽出精製物を配合しなかったこと以外すべて実施例２の成分と同一の成分をそれぞれ実施例２の成分と同量配合して長毛犬用ドッグシャンプーｂを調製した。
【００３８】
［比較例３］
プラウノイ抽出精製物を配合しなかったこと以外すべて実施例３の成分と同一の成分をそれぞれ実施例３の成分と同量配合して油性・大型犬用ドッグシャンプーｃを調製した。
【００３９】
シャンプー性能の評価
実施例１〜３、比較例１〜３で調製したドッグシャンプーＡ、ＢおよびＣならびにドッグシャンプーａ、ｂおよびｃのシャンプー性能および次の（１）〜（５）の評価項目について下記の方法で評価した。
（１）地肌がつややかになりふけがでなくなる。
（２）毛にハリがでる。
（３）脱毛が減少。
（４）カユがるしぐさが減少。
（５）毛が汚れにくくなる。
犬２０頭を短毛犬（７頭）、長毛犬（７頭）および油性・大型犬（６頭）の三つのグループに分け、短毛犬にはドッグシャンプーＡ（実施例１）およびドッグシャンプーａ（比較例１）を、長毛犬にはドッグシャンプーＢ（実施例２）およびドッグシャンプーｂ（比較例２）を、油性・大型犬にはドッグシャンプーＣおよびドッグシャンプーｃ（比較例３）をそれぞれ犬１頭につき１回あたり３０〜５０ｍｌのシャンプーを使用し、１週間２回洗浄し３０日経過後、それぞれ評価したところ、下表に示す評価結果を得た。
【００４０】
評価結果
ドッグシャンプーＡ
短毛犬７頭
【表１】
0003905406.tif 000007
【００４１】
ドッグシャンプーＢ
長毛犬７頭
【表２】
0003905406.tif 000008
【００４２】
ドッグシャンプーＣ
油性大型犬６頭
【表３】
0003905406.tif 000009
【００４３】
ドッグシャンプーａ
短毛犬７頭
【表４】
0003905406.tif 000010
【００４４】
ドッグシャンプーｂ
長毛犬７頭
【表５】
0003905406.tif 000011
【００４５】
ドッグシャンプーｃ
油性・大型犬６頭
【表６】
0003905406.tif 000012
【００４６】
【発明の効果】
本発明に係る動物用シャンプー組成物を犬に使用したところ、成分（ｂ）を配合していない従来品と比較して、毛が汚れにくくなると共に、地肌がつややかになり、ふけの脱落が抑制され、毛にハリがでるようになり、また、犬特有の脱毛が減少するという従来品では得られない顕著な効果を奏することが分かった。